(57)【要約】ピア・ツー・ピア通信をサポートするための方法及び装置が記載されている。ピア・ツー・ピア通信デバイスは、ピア・ツー・ピアシグナリングのために、広域ネットワーク（ＷＡＮ）アップリンク通信の無線リンクリソースと広域ネットワーク（ＷＡＮ）ダウンリンク通信の無線リンクリソースの両方を使用する。オペレーションのアップリンク共有モードの間に、ピア・ツー・ピア無線端末は、ピア・ツー・ピア信号を通信するために広域ネットワークアップリンク通信帯域を使用し、ピア・ツー・ピア無線端末は、第１の伝送パワー制御機能をインプリメントする。オペレーションのダウンリンク共有モードの間に、ピア・ツー・ピア無線端末は、ピア・ツー・ピア信号を通信するために、広域ネットワークダウンリンク通信帯域を使用し、ピア・ツー・ピア無線端末は、第２の伝送パワー制御機能をインプリメントする。第２のパワー制御機能は、第１のパワー制御機能と異なる。
2011520355.tif 000002
【特許請求の範囲】
【請求項１】
広域ネットワークアップリンク通信帯域と、広域ネットワークダウンリンク通信帯域と、の両方を使用するために、ピア・ツー・ピア通信を動作する方法であって、前記方法は、
オペレーションのアップリンク共有モードの間に、第１の伝送パワー制御機能をインプリメントすることと、
オペレーションのダウンリンク共有モードの間に、前記第１の伝送パワー制御機能とは異なる第２の伝送パワー制御機能をインプリメントすることと、
を備えている方法。
【請求項２】
前記広域ネットワークアップリンク通信帯域へと、前記第１の伝送パワー制御機能にしたがって決定される伝送パワーレベルを使用して、オペレーションの前記アップリンク共有モードの間に、ピア・ツー・ピア信号を送信することと、
前記広域ネットワークダウンリンク通信帯域へと、前記第２の伝送パワー制御機能にしたがって決定される伝送パワーレベルを使用して、オペレーションの前記ダウンリンク共有モードの間に、ピア・ツー・ピア信号を送信することと、
をさらに備えている請求項１に記載の方法。
【請求項３】
前記広域ネットワークは、ＴＤＤ広域ネットワークであり、
前記アップリンク帯域は、前記ＴＤＤ広域ネットワークのアップリンクタイムスロットを含み、
前記ダウンリンク帯域は、前記ＴＤＤ広域ネットワークのダウンリンクタイムスロットを含む、請求項２に記載の方法。
【請求項４】
前記広域ネットワークによって使用される時分割多重スケジュールにしたがって、オペレーションの前記アップリンク共有モードと前記ダウンリンク共有モードとの間の切り換えを制御すること、をさらに備えている請求項３に記載の方法。
【請求項５】
前記第１のパワー制御機能によって使用される、第１セットのパワー制御情報を保存することと、
前記第２のパワー制御機能によって使用される、第２セットのパワー制御情報を保存することと、
をさらに備えている請求項４に記載の方法。
【請求項６】
切り換えを制御することは、オペレーションの前記モードに依存して、前記の第１の保存されたセットのパワー制御情報を使用することと前記の第２の保存されたセットのパワー制御情報を使用することとの間の切り換えを制御することを含む、請求項５に記載の方法。
【請求項７】
第２のアップリンクタイムスロットの間に第１の伝送パワー制御機能をインプリメントすることは、前記第２のアップリンクタイムスロットに先行する直前先行するアップリンクタイムスロットにおいて伝送パワーを制御するために使用される値を使用することを含む、請求項６に記載の方法。
【請求項８】
第２のダウンリンクタイムスロットの間に第２の伝送パワー制御機能をインプリメントすることは、前記第２のダウンリンクタイムスロットに先行する直前先行するダウンリンクタイムスロットにおいて伝送パワーを制御するために使用される値を使用することを含む、請求項７に記載の方法。
【請求項９】
前記直前先行するアップリンクタイムスロットと前記第２のアップリンクタイムスロットは、ダウンリンクタイムスロットによって分離される、請求項８に記載の方法。
【請求項１０】
第１の伝送パワー制御機能をインプリメントすることは、
ＷＡＮ基地局から受信された信号から第１の値を生成することと、
オペレーションの前記アップリンクモードの間に伝送パワーを制御するために前記値を使用することと、
を含む、請求項４に記載の方法。
【請求項１１】
第２の伝送パワー制御機能をインプリメントすることは、ＷＡＮ無線端末から受信された信号から、第２の値を生成することを含む、請求項４に記載の方法。
【請求項１２】
前記アップリンク共有モード及び前記ダウンリンク共有モードの間に使用されるべき前記伝送パワーレベルをそれぞれ決定するために、前記第１の機能は、第１の最大伝送パワーレベルを使用し、前記第２の機能は、第２の最大可能伝送パワーレベルを使用する、請求項４に記載の方法。
【請求項１３】
前記第１の機能を実行することは、前記第１の最大伝送パワーレベルを、受信された信号から決定することを含み、前記第２の機能を実行することは、前記第２の最大伝送パワーレベルを、第２の受信された信号から決定することを含む、請求項１２に記載の方法。
【請求項１４】
前記広域ネットワークは、ＦＤＤ広域ネットワークであり、
前記アップリンク帯域は、前記ダウンリンク周波数帯域と異なる周波数帯域である、請求項２に記載の方法。
【請求項１５】
オペレーションのアップリンク共有モードとオペレーションのダウンリンク共有モードが同時に生じないように、それらを制御すること、をさらに備えている請求項１４に記載の方法。
【請求項１６】
前記ＷＡＮアップリンク周波数帯域と前記ＷＡＮダウンリンク周波数帯域のうちの１つへの送信に適用可能な伝送パワー制御キャップに基づいて、オペレーションのアップリンク共有モードとダウンリンク共有モードとの間で切り替えること、をさらに備えている請求項１５に記載の方法。
【請求項１７】
前記切り換えは、オペレーションの前記現在モードの前記伝送パワー制御キャップが送信必要要件を満たすのに不十分であるとき、より高い伝送パワー制御キャップを有する、前記アップリンク共有モードと前記ダウンリンク共有モードのうちの１つに対する、請求項１６に記載の方法。
【請求項１８】
広域ネットワークアップリンク通信帯域と、広域ネットワークダウンリンク通信帯域と、の両方を使用することをサポートする無線端末であって、前記無線端末は、
オペレーションのアップリンク共有モードの間に、第１の伝送パワー制御機能をインプリメントするためのアップリンク共有モードパワー制御モジュールと、
オペレーションのダウンリンク共有モードの間に、前記第１の伝送パワー制御機能と異なる第２の伝送パワー制御機能をインプリメントするためのダウンリンク共有モードパワー制御モジュールと、
を備えている無線端末。
【請求項１９】
オペレーションのアップリンク共有モードの間に、前記アップリンク共有モードパワー制御モジュールに応答し、オペレーションのダウンリンク共有モードの間に、前記ダウンリンク共有モードパワー制御モジュールに応答する送信機、をさらに備え、前記送信機は、前記第１のパワー制御機能にしたがって決定される伝送パワーレベルを使用して、オペレーションの前記アップリンク共有モードの間に、前記広域ネットワークアップリンク通信帯域へとピア・ツー・ピア信号を送信し、そして、前記第２の伝送パワー制御機能にしたがって決定される伝送パワーレベルを使用してオペレーションの前記ダウンリンク共有モードの間に前記広域ネットワークダウンリンク帯域へとピア・ツー・ピア信号を送信する、請求項１８に記載の無線端末。
【請求項２０】
前記広域ネットワークは、ＴＤＤ広域ネットワークであり、
前記アップリンク帯域は、前記ＴＤＤ広域ネットワークのアップリンクタイムスロットを含み、
前記ダウンリンク帯域は、前記ＴＤＤ広域ネットワークのダウンリンクタイムスロットを含む、請求項１９に記載の無線端末。
【請求項２１】
前記広域ネットワークによって使用される時分割多重スケジュールにしたがって、オペレーションの前記アップリンク共有モードと前記ダウンリンク共有モードとの間の切り換えを制御するためのモード制御モジュール、をさらに備えている請求項２０に記載の無線端末。
【請求項２２】
前記第１のパワー制御機能によって使用される第１の保存されたセットのパワー制御情報と、前記第２のパワー制御機能によって使用される第２の保存されたセットのパワー制御情報と、を含んでいるメモリと、
をさらに備え、前記第１の保存されたセットのパワー制御情報と前記第２の保存されたセットのパワー制御情報は、異なる少なくともいくつかの情報を含んでいる、請求項２１に記載の無線端末。
【請求項２３】
前記モード制御モジュールは、オペレーションの前記モードに依存して、前記第１の保存されたセットのパワー制御情報を使用することと第２の保存されたセットのパワー制御情報を使用することとの間の切り換えを制御する、請求項２２に記載の無線端末。
【請求項２４】
前記第１の保存されたセットのパワー制御情報は、第２のアップリンクタイムスロットに先行する直前先行するアップリンクタイムスロットにおいて伝送パワーを制御するために使用される値を含み、
前記アップリンク共有モードパワー制御モジュールは、前記第２のアップリンクタイムスロットに先行する直前先行するアップリンクタイムスロットにおいて伝送パワーを制御するために使用される値を使用して、前記第２のアップリンクタイムスロットの間に、前記第１の伝送パワー制御機能を埋め込む、請求項２３に記載の無線端末。
【請求項２５】
前記ダウンリンク共有モードパワー制御モジュールが第２のダウンリンクタイムスロットの間に前記第２の伝送パワー制御機能をインプリメントすることは、前記第２のダウンリンクタイムスロットに先行する、直前先行するダウンリンクタイムスロットにおいて、伝送パワーを制御するために使用される値を使用することを含む、請求項２４に記載の無線端末。
【請求項２６】
前記直前先行するアップリンクタイムスロットと前記第２のアップリンクタイムスロットは、ダウンリンクタイムスロットによって分離される、請求項２５に記載の無線端末。
【請求項２７】
広域ネットワーク基地局からの信号のための受信機、
をさらに備え、前記アップリンク共有モードパワー制御モジュールは、ｉ）ＷＡＮ基地局から受信された信号から第１の値を生成すること、ｉｉ）オペレーションの前記アップリンクモードの間に伝送パワーを制御するために前記値を使用すること、によって、前記第１の伝送パワー制御機能をインプリメントする、請求項２１に記載の無線端末。
【請求項２８】
前記ダウンリンク共有モードパワー制御モジュールは、ＷＡＮ無線端末から受信された信号から生成された第２の値を使用して、前記第２の伝送パワー制御機能をインプリメントする、請求項２１に記載の無線端末。
【請求項２９】
前記アップリンク共有モード及び前記ダウンリンク共有モードの間に使用されるべき前記伝送パワーレベルをそれぞれ決定するために、前記第１の機能は、第１の最大伝送パワーレベルを使用し、前記第２の機能は、第２の最大可能伝送パワーレベルを使用する、請求項２１に記載の無線端末。
【請求項３０】
前記アップリンク共有モードパワー制御モジュールは、前記第１の最大伝送パワーレベルを受信された信号から決定するための、第１の受信パワーレベル決定モジュールを含み、
前記ダウンリンク共有モードパワー制御モジュールは、前記第２の最大伝送パワーレベルを第２の受信された信号から決定するための、第２の受信パワーレベル決定モジュールを含む、請求項２９に記載の無線端末。
【請求項３１】
前記広域ネットワークは、ＦＤＤ広域ネットワークであり、
前記アップリンク帯域は、前記ダウンリンク周波数帯域と異なる周波数帯域である、請求項１８に記載の無線端末。
【請求項３２】
保存された伝送パワー制御キャップ情報と、
オペレーションの前記アップリンク共有モードと前記ダウンリンク共有モードとの間の切り換えを制御するためのモード制御モジュールと、
をさらに備え、
前記モード制御モジュールは、前記ＷＡＮアップリンク周波数帯域及び前記ＷＡＮダウンリンク周波数帯域のうちの１つへの送信に適用可能な伝送パワー制御キャップに基づいて、オペレーションのアップリンク共有モードとダウンリンク共有モードとの間の切り換えを制御する、請求項３１に記載の無線端末。
【請求項３３】
オペレーションの現在モードの伝送パワー制御キャップが現在の伝送パワー必要要件よりも少ないかを決定するための、伝送パワー制御キャップ比較モジュール、
をさらに備え、
前記モード制御モジュールは、オペレーションの前記現在モードの前記伝送パワー制御キャップが送信必要要件を満たすのに不十分であるとき、より高い伝送パワー制御キャップを有する、前記アップリンク共有モードと前記ダウンリンク共有モードのうちの１つへの切り換えを制御する、請求項３２に記載の無線端末。
【請求項３４】
広域ネットワークアップリンク通信帯域と、広域ネットワークダウンリンク通信帯域と、の両方を使用することをサポートする無線端末であって、前記無線端末は、
オペレーションのアップリンク共有モードの間に、第１の伝送パワー制御機能をインプリメントするためのアップリンク共有モードパワー制御手段と、
オペレーションのダウンリンク共有モードの間に、前記第１の伝送パワー制御機能と異なる第２の伝送パワー制御機能をインプリメントするための手段と、
を備えている、
無線端末。
【請求項３５】
オペレーションのアップリンク共有モードの間に前記アップリンク共有モードパワー制御手段に応答し、オペレーションのダウンリンク共有モードの間に、第２の送信パワー制御機能をインプリメントするための前記手段に応答する送信機手段、
をさらに備え、前記送信機手段は、前記第１のパワー制御機能にしたがって決定される伝送パワーレベルを使用してオペレーションの前記アップリンク共有モードの間に前記広域ネットワークアップリンク通信帯域へとピア・ツー・ピア信号を送信し、そして、前記第２の伝送パワー制御機能にしたがって決定される伝送パワーレベルを使用してオペレーションの前記ダウンリンク共有モードの間に前記広域ネットワークダウンリンク帯域へとピア・ツー・ピア信号を送信する、請求項３４に記載の無線端末。
【請求項３６】
前記広域ネットワークは、ＴＤＤ広域ネットワークであり、
前記アップリンク帯域は、前記ＴＤＤ広域ネットワークのアップリンクタイムスロットを含み、
前記ダウンリンク帯域は、前記ＴＤＤ広域ネットワークのダウンリンクタイムスロットを含む、請求項３５に記載の無線端末。
【請求項３７】
前記広域ネットワークによって使用される時分割多重スケジュールにしたがって、オペレーションの前記アップリンク共有モードとダウンリンク共有モードとの間の切り換えを制御するための手段、をさらに備えている請求項３６に記載の無線端末。
【請求項３８】
前記広域ネットワークは、ＦＤＤ広域ネットワークであり、
前記アップリンク帯域は、前記異なるダウンリンク周波数帯域と異なる周波数帯域である、請求項３５に記載の無線端末。
【請求項３９】
別の通信デバイスと通信する方法をインプリメントするために、ピア・ツー・ピア通信デバイスを制御するための機械実行可能な命令を具現化するコンピュータ可読媒体であって、前記方法は、
オペレーションのアップリンク共有モードの間に、第１の伝送パワー制御機能をインプリメントすることと、
オペレーションのダウンリンク共有モードの間に、前記第１の伝送パワー制御機能と異なる第２の伝送パワー制御機能をインプリメントすることと、
を備えている、
コンピュータ可読媒体。
【請求項４０】
前記広域ネットワークアップリンク通信帯域へと、前記第１の伝送パワー制御機能にしたがって決定される伝送パワーレベルを使用してオペレーションの前記アップリンク共有モードの間にピア・ツー・ピア信号を送信するための機械実行可能命令と、
前記広域ネットワークダウンリンク帯域へと、前記第２の伝送パワー制御機能にしたがって決定される伝送パワーレベルを使用してオペレーションの前記ダウンリンク共有モードの間にピア・ツー・ピア信号を送信するための機械実行可能命令と、
をさらに具現化する請求項３９に記載のコンピュータ可読媒体。
【請求項４１】
前記広域ネットワークは、ＴＤＤ広域ネットワークであり、
前記アップリンク帯域は、前記ＴＤＤ広域ネットワークのアップリンクタイムスロットを含み、
前記ダウンリンク帯域は、前記ＴＤＤ広域ネットワークのダウンリンクタイムスロットを含む、請求項４０に記載のコンピュータ可読媒体。
【請求項４２】
前記広域ネットワークによって使用される時分割多重化スケジュールにしたがって、オペレーションの前記アップリンク共有モードと前記ダウンリンク共有モードとの間の切り換えを制御するための機械実行可能な命令、をさらに具現化する請求項４１に記載のコンピュータ可読媒体。
【請求項４３】
前記広域ネットワークは、ＦＤＤ広域ネットワークであり、
前記アップリンク帯域は、前記ダウンリンク周波数帯域と異なる周波数帯域である、請求項４０に記載のコンピュータ可読媒体。
【請求項４４】
装置であって、
オペレーションのアップリンク共有モードの間に、第１の伝送パワー制御機能をインプリメントするように、
オペレーションのダウンリンク共有モードの間に、前記第１の伝送パワー制御機能と異なる第２の伝送パワー制御機能をインプリメントするように、
構成されているプロセッサ、
を備えている装置。
【請求項４５】
前記プロセッサは、
前記広域ネットワークアップリンク通信帯域への、前記第１の伝送パワー制御機能にしたがって決定される伝送パワーレベルを使用している、オペレーションの前記アップリンク共有モードの間の、ピア・ツー・ピア信号の前記送信、を制御するように、
前記広域ネットワークダウンリンク帯域への、前記第２の伝送パワー制御機能にしたがって決定される伝送パワーレベルを使用している、オペレーションの前記ダウンリンク共有モードの間のピア・ツー・ピア信号の前記送信、を制御するように、
さらに構成されている、請求項４４に記載の装置。
【請求項４６】
前記広域ネットワークは、ＴＤＤ広域ネットワークであり、
前記アップリンク帯域は、前記ＴＤＤ広域ネットワークのアップリンクタイムスロットを含み、
前記ダウンリンク帯域は、前記ＴＤＤ広域ネットワークのダウンリンクタイムスロットを含む、請求項４５に記載の装置。
【請求項４７】
前記プロセッサは、前記広域ネットワークによって使用される時分割多重化スケジュールにしたがって、オペレーションの前記アップリンク共有モードと前記ダウンリンク共有モードとの間の切り換えを制御するように、
さらに構成されている、請求項４６に記載の装置。
【請求項４８】
前記広域ネットワークは、ＦＤＤ広域ネットワークであり、
前記アップリンク帯域は、前記ダウンリンク周波数帯域と異なる周波数帯域である、請求項４５に記載の装置。
【発明の詳細な説明】
【相互参照】
【０００１】
本出願は２００７年７月６日に出願され、「ピア・ツー・ピアシグナリングと広域ネットワーク使用間でダウンリンク帯域幅を共有するときの、干渉管理に関する方法及び装置(METHODS AND APPARATUS RELATED TO INTERFERENCE MANAGEMENT WHEN SHARING DOWNLINK BANDWIDTH BETWEEN WIDE AREA NETWORK USAGE AND PEER TO PEER SIGNALING)」と題された、米国出願番号第１１／７７４，４９８号の一部継続出願であり、その全体は、参照によってここに組み込まれる。
【０００２】
（分野）
様々な実施形態は、ワイヤレス通信のための方法及び装置を対象とし、より具体的には、ピア・ツー・ピアワイヤレス通信における使用のための方法及び装置を対象とする。
【０００３】
（背景）
広域ネットワーク（ＷＡＮ）通信システムは、使用するための１セットのアップリンク無線リンクリソースと１セットのダウンリンク無線リンクリソースが典型的に割り付けられている。時々、それらのリソースのいくつかは、十分に使用されていない。
【０００４】
ＷＡＮ無線端末によってダウンリンクＷＡＮシグナリングの受信及びリカバリ(recovery)は、同じダウンリンクＷＡＮ無線リンクリソースを同時に使用して生じている、他のタイプのシグナリング、例えばピア・ツー・ピアシグナリング、によって影響される。ＷＡＮ基地局によるアップリンクＷＡＮシグナリングの受信及びリカバリは、同じアップリンクＷＡＮ無線リンクリソースを同時に使用して生じている、他のタイプのシグナリング、例えばピア・ツー・ピアシグナリング、によって影響される。ＷＡＮ無線リンクリソースを使用して、与えられたパワーレベルで、ピア・ツー・ピアシグナリングを送信するピア・ツー・ピア通信デバイスは、無線端末ＷＡＮシグナリングリカバリオペレーションに関してよりも、基地局シグナリングリカバリオペレーションに関して、異なるインパクトを有する傾向がある、ということは理解されるべきである。ＷＡＮ無線端末に関する影響とＷＡＮ基地局に関する影響の差異は、例えば、ピア・ツー・ピアデバイスの基地局に対する現在の近接性（peer to peer device's current proximity to the base station）、ＷＡＮ無線端末に対する近接性(proximity to the WAN wireless terminal)、様々なＷＡＮ信号の伝送パワーレベル(transmission power levels of the various WAN signals)、ＷＡＮ基地局とＷＡＮ無線端末との間のチャネル条件(channel condition between the WAN base station and WAN wireless terminal)、のような様々なファクタの機能であってもよい。
【０００５】
他の通信技術、例えばピア・ツー・ピアシグナリング、をサポートするためにＷＡＮアップリンク及びダウンリンク無線リンクリソースが共有されることを可能にした方法及び装置が作られた場合には、有益であろう。他のそのような方法及び装置が、ピア・ツー・ピア無線端末がＷＡＮデバイスとアップリンク、ダウンリンク及び／またはアップリンクとダウンリンクの両方のＷＡＮ無線リンクリソースを共有することを可能にした場合には、有益であろう。時分割デュプレクスＷＡＮシステムでは、ピア・ツー・ピアデバイスが、アップリンクＷＡＮタイムスロットとダウンリンクＷＡＮタイムスロットの両方の間にピア・ツー・ピアオペレーションを継続することを可能にする方法及び装置が有益であろう。周波数分割デュプレクスＷＡＮシステムでは、ピア・ツー・ピアデバイスが、与えられた時間に使用する、アップリンク周波数帯域とダウンリンク周波数帯域との間で選択し切り替えることを可能にする方法及び装置が有益であろう。必ずしもすべてではないがいくつかの実施形態では、アップリンクＷＡＮ無線リンクリソースあるいはダウンリンクＷＡＮ無線リンクリソースをピア・ツー・ピア通信が共有するかどうかに依存して、異なるパワー制御機能を使用する、ピア・ツー・ピア無線端末の方法及び装置が作られた場合には有益であろう。
【発明の概要】
【０００６】
ピア・ツー・ピア通信をサポートするための方法及び装置が説明されている。必ずしもすべての実施形態ではないがいくつかの実施形態では、ピア・ツー・ピア通信デバイスは、ピア・ツー・ピアシグナリングのために広域ネットワーク（ＷＡＮ）アップリンク通信無線リンクリソースと広域ネットワーク（ＷＡＮ）ダウンリンク通信無線リンクリソースを使用する。１つの例示的な実施形態では、オペレーションのアップリンク共有モードの間に(during an uplink share mode of operation)、ピア・ツー・ピア無線端末は、ピア・ツー・ピア信号を通信するために広域ネットワークアップリンク通信帯域を使用し、そして、ピア・ツー・ピア無線端末は、第１の伝送パワー制御機能をインプリメントする。オペレーションのダウンリンク共有モードの間に(During a downlink share mode of operation)、ピア・ツー・ピア無線端末は、ピア・ツー・ピア信号を通信するために広域ネットワークダウンリンク通信帯域を使用し、ピア・ツー・ピア無線端末は、第２の伝送パワー制御機能をインプリメントする。第２のパワー制御機能は、第１のパワー制御機能と異なる。様々な実施形態では、ピア・ツー・ピア通信デバイスは、第１のパワー制御機能及び第２のパワー制御機能に対応する第１セットのパワー制御情報及び第２セットのパワー制御情報を保存し維持する。
【０００７】
ＷＡＮが時分割デュプレクス（ＴＤＤ）を使用するいくつかの実施形態では、ピア・ツー・ピア無線端末は、ＴＤＤスケジュールにしたがってアップリンク共有モードオペレーション及びダウンリンク共有モードオペレーション間で切り換えするために制御される。ＷＡＮが周波数分割デュプレクス（ＦＤＤ）を使用する、いくつかの実施形態では、ピア・ツー・ピア無線端末は、ＷＡＮアップリンク通信帯域へとピア・ツー・ピア信号を送信するための伝送パワー制御キャップ情報、ダウンリンクＷＡＮ通信帯域へと送信するための伝送パワー制御キャップ情報、アップリンク伝送パワーキャップ情報とダウンリンク伝送パワーキャップ情報の比較、及びピア・ツー・ピア無線リンクリソースのニーズ、のうちの少なくとも１つの機能として、アップリンク共有モードとダウンリンク共有モード間で切り換えするように制御される。
【０００８】
広域ネットワークアップリンク通信帯域と、広域ネットワークダウンリンク通信帯域の両方を使用するために、ピア・ツー・ピア通信デバイスを動作する例示的な方法は、オペレーションのアップリンク共有モードの間に、第１の伝送パワー制御機能をインプリメントすることと、オペレーションのダウンリンク共有モードの間に、第１の伝送パワー制御機能と異なる第２の伝送パワー制御機能をインプリメントすることと、を備える。様々な実施形態では、方法はさらに、該広域ネットワークアップリンク通信帯域へと該第１の伝送パワー制御機能にしたがって決定される伝送パワーレベルを使用して、該オペレーションのアップリンクシェアモードの間にピア・ツー・ピア信号を送信することと、該広域ネットワークダウンリンク帯域へと該第２の伝送パワー制御機能にしたがって決定される伝送パワーレベルを使用して、該オペレーションのダウンリンク共有モードの間に、ピア・ツー・ピア信号を送信することと、を備えている。様々な実施形態にしたがって、広域ネットワークアップリンク通信帯域と広域ネットワークダウンリンク通信帯域の両方を使用することをサポートする例示的な無線端末は、オペレーションのアップリンク共有モードの間に第１の伝送パワー制御機能をインプリメントするためのアップリンク共有モードパワー制御モジュールと、オペレーションのダウンリンク共有モードの間に該第1の伝送パワー制御機能と異なる第２の伝送パワー制御機能をインプリメントするためのダウンリンク共有モードパワー制御モジュールと、を備えている。
【０００９】
様々な実施形態が上記の要約(summary)で説明されているが、必ずしもすべての実施形態は同じ特徴を含まなくてもよく、上記された特徴のうちのいくつかは必要ではないがいくつかの実施形態では望ましくなりえるということは理解されるべきである。多数のさらなる特徴、実施形態、及び利点は、下記の詳細な説明で説明される。
【図面の簡単な説明】
【００１０】
【図１】図１は、様々な実施形態にしたがって、ピア・ツー・ピアシグナリングのために広域ネットワークアップリンクとダウンリンク通信帯域の両方をピア・ツー・ピアワイヤレス通信デバイスが使用する、例示的なワイヤレス通信システム１００の図である。
【図２】図２は、様々な実施形態にしたがって、例示的な無線端末、例えばＷＡＮアップリンク通信帯域とＷＡＮダウンリンク通信帯域の両方においてピア・ツー・ピア通信をサポートするモバイルノード、の図である。
【図３】図３は、様々な実施形態にしたがって、ピア・ツー・ピアシグナリングのために広域ネットワークアップリンク通信帯域と広域ネットワークダウンリング通信帯域の両方を使用するために、ピア・ツー・ピア通信デバイスを動作する例示的な方法のフローチャートである。
【図４】図４Ａ、図４Ｂ、図４Ｃの組み合わせを備えている図４は、様々な実施形態にしたがって、ピア・ツー・ピアシグナリングのために広域ネットワークアップリンク通信帯域と広域ネットワークダウンリンク通信帯域の両方を使用するために、ピア・ツー・ピア通信デバイスを動作する、例示的な方法のフローチャートである。
【図４Ａ】図４Ａ、図４Ｂ、図４Ｃの組み合わせを備えている図４は、様々な実施形態にしたがって、ピア・ツー・ピアシグナリングのために広域ネットワークアップリンク通信帯域と広域ネットワークダウンリンク通信帯域の両方を使用するために、ピア・ツー・ピア通信デバイスを動作する、例示的な方法のフローチャートである。
【図４Ｂ】図４Ａ、図４Ｂ、図４Ｃの組み合わせを備えている図４は、様々な実施形態にしたがって、ピア・ツー・ピアシグナリングのために広域ネットワークアップリンク通信帯域と広域ネットワークダウンリンク通信帯域の両方を使用するために、ピア・ツー・ピア通信デバイスを動作する、例示的な方法のフローチャートである。
【図４Ｃ】図４Ａ、図４Ｂ、図４Ｃの組み合わせを備えている図４は、様々な実施形態にしたがって、ピア・ツー・ピアシグナリングのために広域ネットワークアップリンク通信帯域と広域ネットワークダウンリンク通信帯域の両方を使用するために、ピア・ツー・ピア通信デバイスを動作する、例示的な方法のフローチャートである。
【図５】図５Ａと図５Ｂの組み合わせを備えている図５は、様々な実施形態にしたがって、ピア・ツー・ピアシグナリングのために広域ネットワークアップリンク通信帯域と広域ネットワークダウンリンク通信帯域の両方を使用するために、ピア・ツー・ピア通信デバイスを動作する例示的な方法のフローチャートである。
【図５Ａ】図５Ａと図５Ｂの組み合わせを備えている図５は、様々な実施形態にしたがって、ピア・ツー・ピアシグナリングのために広域ネットワークアップリンク通信帯域と広域ネットワークダウンリンク通信帯域の両方を使用するために、ピア・ツー・ピア通信デバイスを動作する例示的な方法のフローチャートである。
【図５Ｂ】図５Ａと図５Ｂの組み合わせを備えている図５は、様々な実施形態にしたがって、ピア・ツー・ピアシグナリングのために広域ネットワークアップリンク通信帯域と広域ネットワークダウンリンク通信帯域の両方を使用するために、ピア・ツー・ピア通信デバイスを動作する例示的な方法のフローチャートである。
【図６】図６は、広域ネットワーク（ＷＡＮ）時分割デュプレクス（ＴＤＤ）システムで帯域幅を例示的なピア・ツー・ピア無線端末が共有する、例示的な実施形態において様々な特徴を図示する図である。
【図７】図７は、広域ネットワーク（ＷＡＮ）周波数分割デュプレクス（ＴＤＤ）システムで帯域幅を例示的なピア・ツー・ピア無線端末が共有する、例示的な実施形態において様々な特徴を図示する図である。
【詳細な説明】
【００１１】
図１は、様々な実施形態にしたがって、ピア・ツー・ピアシグナリングのための、広域ネットワークアップリンク及び広域ネットワークダウンリンク通信帯域の両方をピア・ツー・ピアワイヤレス通信デバイスが使用する、例示的なワイヤレス通信システムの図である。広域ネットワークは、いくつかの実施形態では、時分割デュプレクス（ＴＤＤ）システムである。他の実施形態では、広域ネットワークは、周波数分割デュプレクス（ＦＤＤ）システムである。さらに他の実施形態では、広域ネットワークは、ＷＡＮシグナリングについては、システムの部分ではＴＤＤ技術を、そして、システムの他の部分ではＦＤＤ技術を使用する。
【００１２】
例示的なワイヤレス通信システム１００は、他のネットワーク、例えば、他の基地局、ルータ、ホームエージェントノード、システム制御ノード、ＡＡＡノード等、及び／または、ネットワークリンク１０６を介したインターネット、に結合される、ＷＡＮ基地局１０２を含む。ネットワークリンク１０６は、例えば光ファイバーリンクである。セル１０４は、ＷＡＮ基地局１０２のための無線サービスエリアを表わす。基地局１０２は、ＷＡＮアップリンク通信帯域と、ＷＡＮダウンリンク通信帯域と、を使用する。
【００１３】
例示的な通信システム１００はまた、複数のＷＡＮ無線端末（ＷＡＮ  ＷＴ  １  １０８，．．．，ＷＡＮ  ＷＴ  Ｎ  １１０）を含む。ＷＡＮ  ＷＴｓのうちの少なくともいくつかは、通信システム１００にわたって移動し、例えばネットワークアタッチメントのポイントとして基地局を使用して、基地局に結合することができる、モバイルノードである。ＷＡＮ  ＷＴｓ（１０８，１１０）は、それぞれ、無線リンク（１１２，１１４）を介して、ＷＡＮ基地局１０２に現在結合される。
【００１４】
例示的なシステム１００では、ピア・ツー・ピア無線端末１  １１６と、ピア・ツー・ピア無線端末２  １１８と、を含んでいる複数のピア・ツー・ピア無線端末もある。現在、ピア・ツー・ピア無線端末（１１６，１１８）は、セル１０４に配置されており(located)、ピア・ツー・ピア通信リンク１２０を介して互いに通信し、ピア・ツー・ピアシグナリングのために基地局１０２のアップリンクＷＡＮ通信帯域とダウンリンクＷＡＮ通信帯域の両方を使用する。ピア・ツー・ピアワイヤレス通信端末（１１６，１１８）は、アップリンクＷＡＮ通信帯域及びダウンリンクＷＡＮ通信帯域へのピア・ツー・ピア伝送に関して、異なるパワー制御機能を使用する。ダウンリンク通信帯域におけるピア・ツー・ピア信号は、基地局１０２からダウンリンク信号において通信される情報をリカバリすることを試みている、ＷＡＮ  ＷＴ（１０８，１１０）から見た干渉である。アップリンク通信帯域におけるピア・ツー・ピア信号は、ＷＡＮ無線端末（１０８，１１０）からアップリンク信号において通信される情報をリカバリすることを試みている、ＷＡＮ基地局１０２から見た干渉である。
【００１５】
図２は、様々な実施形態にしたがった、例えばＷＡＮアップリンク通信帯域とＷＡＮダウンリンク通信帯域の両方においてピア・ツー・ピア通信をサポートしているモバイルノード、のような例示的な無線端末２００の図である。例示的な無線端末２００は、例えば、図１のピア・ツー・ピア無線端末１１６、１１８のうちの１つである。いくつかの実施形態では、広域ネットワークは、ＴＤＤ広域ネットワークである。いくつかのそのような実施形態では、ＷＡＮアップリンク通信帯域は、ＴＤＤ広域ネットワークのアップリンクタイムスロットを含み、ＷＡＮダウンリンク帯域は、ＴＤＤ広域ネットワークのダウンリンクタイムスロットを含む。他のいくつかの実施形態では、広域ネットワークはＦＤＤ広域ネットワークであり、ＷＡＮアップリンク帯域は、ＷＡＮダウンリンク周波数帯域と異なる周波数帯域である。いくつかの実施形態では、広域ネットワークは、ＴＤＤを使用する部分と、ＦＤＤを使用する部分と、を含む。
【００１６】
例示的な無線端末２００は、受信機モジュール２０２、送信機モジュール２０４、ユーザＩ／Ｏデバイス２０８、プロセッサ２０６、及び、様々なエレメントがデータと情報を交換することができるバス２１２を介して一緒に結合されたメモリ２１０、を含む。
【００１７】
受信機モジュール２０２、例えばＯＦＤＭまたはＣＤＭＡ受信機、は無線端末２００が信号を受信する受信アンテナ２１４に結合される。受信された信号は、例えばピア・ツー・ピア通信セッションの一部として、他のピア・ツー・ピア無線端末からの、ピア・ツー・ピア信号を含む。受信された信号はまた、アップリンクＷＡＮ帯域へのピア・ツー・ピア伝送に関してピア・ツー・ピア伝送パワー制御を実行することにおいて、無線端末２００によって使用される広域ネットワーク基地局からの参照信号または制御情報信号、例えばＷＡＮ  ＢＳからの受信された信号２４２、を含む。受信された信号はまた、ダウンリンクＷＡＮ帯域へのピア・ツー・ピア伝送に関してピア・ツー・ピア伝送パワー制御を実行することにおいて、無線端末２００によって使用される広域ネットワーク無線端末からの参照信号または制御情報信号、例えばＷＡＮ  ＷＴからの受信された信号２４４、を含む。
【００１８】
送信機モジュール２０４、例えばＯＦＤＭまたはＣＤＭＡ、は無線端末が信号を送信する送信アンテナ２１６に結合される。送信された信号は、ＷＡＮアップリンク帯域におけるピア・ツー・ピア信号と、ＷＡＮダウンリンク帯域におけるピア・ツー・ピア信号と、を含む。送信機モジュール２０４は、オペレーションのアップリンク共有モードの間に、アップリンク共有モードパワー制御モジュール２２２に応答し、オペレーションのダウンリンク共有モードの間に、ダウンリンク共有モードパワー制御モジュール２２６に応答し、ここにおいて、送信機は、第１のパワー制御機能にしたがって決定される伝送パワーレベルを使用してオペレーションのアップリンク共有モードの間に広域ネットワークアップリンク通信帯域へとピア・ツー・ピア信号を送信し、そして、第２の伝送パワー制御機能にしたがって決定される伝送パワーレベルを使用してオペレーションのダウンリンク共有モードの間に広域ネットワークダウンリンク帯域へとピア・ツー・ピア信号を送信する。
【００１９】
ユーザＩ／Ｏデバイス２０８は、例えばマイクロフォン、キーボード、キーパッド、マウス、カメラ、スイッチ、スピーカー、ディスプレイなどを含む。ユーザＩ／Ｏデバイス２０８は、無線端末２００のユーザが、データ／情報を入力すること、出力データ／情報にアクセスすること、そして、無線端末２００の少なくともいくつかの機能を制御すること、例えばピア・ツー・ピア通信セッションを開始すること、を可能にする。
【００２０】
メモリ２１０は、ルーチン２１８と、データ／情報２２０と、を含む。プロセッサ２０６、例えばＣＰＵはルーチン２１８を実行し、そして、無線端末２００のオペレーションを制御するために、例えば図３のフローチャート３００の方法、図４のフローチャート４００の方法、または図５のフローチャート５００の方法のような方法をインプリメントするために、メモリ２１０におけるデータ／情報２２０を使用する。
【００２１】
ルーチン２１８は、アップリンク共有モードパワー制御モジュール２２２、ダウンリンク共有モードパワー制御モジュール２２６、モード制御モジュール２３０、そして、ピア・ツー・ピア信号生成モジュール２３４を含む。いくつかの実施形態では、例えばＴＤＤ  ＷＡＮ帯域を使用することにおいてピア・ツー・ピア通信をサポートしているいくつかの実施形態では、ルーチン２１８は、伝送パワーキャップ比較モジュール２３２を含む。
【００２２】
データ/情報２２０は、第１のパワー制御機能によって使用される、第１セットの保存されたパワー制御情報２３６と、第２のパワー制御機能によって使用される、第２セットの保存されたパワー制御情報２３８と、アップリンク／ダウンリンクタイミング周波数構造情報２４０と、現在モード２５０と、そして生成されたピア・ツー・ピア信号２５８を含む。データ情報２２０は、ＷＡＮ基地局からの受信された信号２４２、ＷＡＮ無線端末からの受信された信号２４４、決定された第１の最大伝送パワーレベル２４６、決定された第２の最大伝送パワーレベル２４８、アップリンク共有モードについてのパワー制御値２５２、ダウンリンク共有モードについてのパワー制御値２５４、伝送パワーキャップ情報２５６、のうちの１つまたは複数を含んでもよく、時には含んでいる。
【００２３】
アップリンク共有モードパワー制御モジュール２２２は、オペレーションのアップリンク共有モードの間に、第１の伝送パワー制御機能をインプリメントする。様々な実施形態では時々、アップリンク共有モード制御モジュール２２２は、現在のアップリンクタイムスロット(current uplink time slot)についての伝送パワーを決定することにおいて、例えば直前先行するアップリンクタイムスロット(immediately preceding uplink time slot)のような、前のアップリンクタイムスロット(previous uplink time slot)に対応する保存された値を使用する。いくつかの実施形態では、直前先行するアップリンクタイムスロットと現在のアップリンクタイムスロットは、ダウンリンクタイムスロットによって分離される。
【００２４】
いくつかの実施形態では、アップリンク共有モードパワー制御モジュール２２２は、ｉ）ＷＡＮ基地局から受信された信号についての第１の値を生成すること、ｉｉ）オペレーションのアップリンクモードの間に伝送パワーを制御するために生成された第１の値を使用すること、によって、第１の伝送パワー制御機能をインプリメントする。生成された第１の値は、例えばアップリンク共有モード２５２のためのパワー制御値である。
【００２５】
アップリンク共有モードパワー制御モジュール２２２は、第１の受信パワーレベル決定モジュール２２４を含む。第１の受信パワーレベル決定モジュール２２４は、第１の最大伝送パワーレベル２４６、例えばＷＡＮアップリンク通信帯域を使用して送信するときの最大可能ピア・ツー・ピア伝送パワーレベル(maximum permitted peer to peer transmission power level)を、受信された信号、例えばＷＡＮ基地局からの受信された信号、から決定する。
【００２６】
ダウンリンク共有モードパワー制御モジュール２２６は、オペレーションのダウンリンク共有モードの間に、第１の伝送パワー制御機能と異なる第２の伝送パワー制御機能をインプリメントする。様々な実施形態では、時々、ダウンリンク共有モードパワー制御モジュール２２６は、現在のダウンリンクタイムスロットについての伝送パワーを決定することにおいて、例えば直前先行するダウンリンクタイムスロットのような、前のダウンリンクタイムスロットに対応する保存された値を使用する。いくつかの実施形態では、直前先行するダウンリンクタイムスロットと現在のダウンリンクタイムスロットは、アップリンクタイムスロットによって分離される。
【００２７】
いくつかの実施形態では、ダウンリンク共有モードパワー制御モジュール２２６は、ＷＡＮ無線端末から受信された信号から生成された第２の値を使用して、第２の伝送パワー制御機能をインプリメントする。生成された第２の値は、例えばダウンリンク共有モード２５４のためのパワー制御値である。
【００２８】
ダウンリンク共有モードパワー制御モジュール２２６は、第２の受信パワーレベル決定モジュール２２８を含む。第２の受信パワーレベル決定モジュール２２８は、第２の最大伝送パワーレベル２４８、例えばＷＡＮダウンリンク通信帯域を使用して送信するときの最大可能ピア・ツー・ピア伝送パワーレベルを、受信された信号、例えばＷＡＮ  ＷＴからの受信された信号から決定する。
【００２９】
いくつかの実施形態では、アップリンク共有モード及びダウンリンク共有モードの間に使用されるべき伝送パワーレベルをそれぞれ決定するために、アップリンク共有モードパワー制御モジュール２２２の第１の機能は、第１の最大可能伝送パワーレベルを使用し、ダウンリンク共有モードパワー制御モジュール２２６の第２の機能は、第２の最大可能伝送パワーレベルを使用する。
【００３０】
モード制御モジュール２３０は、いくつかの実施形態において、広域ネットワークによって使用される時分割多重化スケジュールにしたがって、オペレーションのアップリンクモード共有モードとダウンリンク共有モードの切り換えを制御する。様々な実施形態では、モード制御モジュール２３０は、オペレーションのモードに依存して、例えば現在モード２５０によって示されるモードに依存して、第１セットの保存されたパワー制御情報２３６と第２セットの保存されたパワー制御情報２３８の使用との間の切り換えを制御する。いくつかの実施形態では、例えばＷＡＮ  ＦＤＤシステムの無線リンクリソースを共有しているいくつかの実施形態では、モード制御モジュール２３０は、ＷＡＮアップリンク周波数帯域とＷＡＮダウンリンク周波数帯域のうちの１つへの送信に適用可能な伝送パワー制御キャップに基づいて、オペレーションのアップリンク共有モードとダウンリンク共有モード間の切り換えを制御する。
【００３１】
ピア・ツー・ピア信号生成モジュール２３４は、例えばアップリンク共有モード制御モジュール２２２あるいはダウンリンク共有モードパワー制御モジュール２２６のようなパワー制御モジュールの制御の下、送信機モジュール２０４によって送信されるべきピア・ツー・ピア信号、例えば生成されたピア・ツー・ピア信号２５８を生成する。
【００３２】
伝送パワー制御キャップ比較モジュール２３２は、オペレーションの現在モードの伝送パワー制御キャップが現在の伝送パワー必要要件よりも少ないかを決定するために、伝送パワーキャップ情報２５６を含んでいるデータ／情報２２０を使用する。伝送パワーキャップ比較モジュール２３２を含んでいるいくつかの実施形態では、モード制御モジュール２３０は、オペレーションの現在モードの伝送パワー制御キャップが送信必要要件を満たすのに不十分であるとき、より高い伝送パワー制御キャップを有するアップリンク共有モードとダウンリンク共有モードのうちの１つへの切り換えを制御する。
【００３３】
第１の保存されたセットのパワー制御情報２３６は、アップリンク共有モードパワー制御モジュール２２２の第１のパワー制御機能によって使用される。いくつかの実施形態では、時々、第１のパワー制御機能２３６によって使用された第１の保存されたセットのパワー制御情報は、前のアップリンクタイムスロット２６０に対応する情報と、現在のアップリンクタイムスロット２６２に対応する情報と、を含む。前のアップリンクタイムスロット２６０に対応する情報は、例えば現在のタイムスロットに先行する、直前先行するタイムスロットにおける送信を制御するために使用される値、を含む。
【００３４】
第２のパワー制御機能２３８によって使用される、第２の保存されたセットのパワー制御情報は、いくつかの実施形態において、時々、前のダウンリンクタイムスロット２６４に対応する情報と、現在のダウンリンクタイムスロット２６６に対応する情報と、を含む。第２セットの保存されたパワー制御情報２３８は、ダウンリンク共有モードパワー制御モジュール２２６の第２のパワー制御機能によって使用される。第１の保存されたセットのパワー制御情報及び第２の保存されたセットのパワー制御情報（２３６，２３８）は、異なっている、少なくともいくつかの情報を含む。
【００３５】
アップリンク／ダウンリンクのタイミング周波数構造情報２４０は、時分割デュプレクス情報２６８と周波数分割デュプレクス情報２７０のうちの１つまたは複数を含む。ＴＤＤ情報２６８は、周波数を識別する情報と、ＴＤＤスケジュールの一部分としてアップリンクについてのタイムスロットを識別する情報と、を含んでいるＴＤＤ実施形態についてのＷＡＮアップリンク帯域を識別する情報を含む。ＴＤＤ情報２６８はまた、周波数を識別する情報と、ＴＤＤスケジュールの一部分としてダウンリンクについてのタイムスロットを識別する情報と、を含んでいるＴＤＤ実施形態についてのＷＡＮダウンリンク帯域を識別する情報を含む。アップリンク帯域の周波数とダウンリンクの帯域の周波数は、同じであってもよく、時々同じであるが、アップリンク帯域の一部として指定されたタイムスロットは、ダウンリンク帯域の一部として指定されたタイムスロットとノンオーバーラッピング(non-overlapping)である。
【００３６】
ＦＤＤ情報２７０は、ダウンリンク帯域の周波数のセットと、アップリンク帯域の周波数のセットと、を識別している情報を含み、これらの周波数のセットは、ノンオーバーラッピングである。いくつかの実施形態では、アップリンクＦＤＤ帯域またはダウンリンクＦＤＤ帯域の周波数のセットは連続している(contiguous)。いくつかの実施形態では、アップリンク帯域またはダウンリンク帯域の周波数のセットは非連続である。
【００３７】
図３は、様々な実施形態にしたがってピア・ツー・ピアシグナリングのための、広域ネットワークアップリンク通信帯域と広域ネットワークダウンリンク通信帯域の両方を使用するためにピア・ツー・ピア通信デバイスを動作する例示的な方法のフローチャート３００である。オペレーションはステップ３０２でスタートし、ピア・ツー・ピア通信デバイスの電源が入れられ(powered on)、初期化され、ステップ３０４へと進む。ステップ３０４では、通信デバイスはオペレーションのモードを決定し、決定の機能として異なるステップへと進む。決定されたモードタイプがオペレーションのアップリンク共有モードである場合、オペレーションは、ステップ３０４からステップ３０６へと進むが、決定されたモードは、オペレーションのダウンリンク共有モードであり、オペレーションは、ステップ３０４からステップ３１０へと進む。
【００３８】
ステップ３０６に戻り、ステップ３０６で、ピア・ツー・ピア通信デバイスは、第１の伝送パワー制御機能をインプリメントする。オペレーションは、ステップ３０６からステップ３０８へと進む。ステップ３０８で、ピア・ツー・ピア通信デバイスは、広域ネットワークアップリンク通信帯域へと第１の伝送パワー制御機能にしたがって決定される伝送パワーレベルを使用して、オペレーションのアップリンク共有モードの間にピア・ツー・ピア信号を送信する。
【００３９】
ステップ３１０に戻り、ステップ３１０で、ピア・ツー・ピア通信デバイスは、第１の伝送パワー制御機能とは異なる第２の伝送パワー制御機能をインプリメントする。オペレーションは、ステップ３１０からステップ３１２へと進む。ステップ３１２で、ピア・ツー・ピア通信デバイスは、該広域ネットワークダウンリンク通信帯域へと、第２の伝送パワー制御機能にしたがって決定される伝送パワーレベルを使用して、オペレーションのダウンリンク共有モードの間にピア・ツー・ピア信号を送信する。オペレーションは、ステップ３０８あるいはステップ３１２から、ステップ３０４へと進み、モードが再び決定される。
【００４０】
いくつかの実施形態では、広域ネットワークは、時分割デュプレクス（ＴＤＤ）広域ネットワークである。いくつかのそのような実施形態では、アップリンク帯域は、ＴＤＤ広域ネットワークのアップリンクタイムスロットを含み、ダウンリンク帯域は、ＴＤＤ広域ネットワークのダウンリンクタイムスロットを含む。
【００４１】
他のいくつかの実施形態では、広域ネットワークは周波数分割デュプレクス（ＦＤＤ）広域ネットワークであり、アップリンク周波数帯域は、ダウンリンク周波数帯域とは異なる周波数帯域である。
【００４２】
他のいくつかの実施形態では、広域ネットワークは、ＴＤＤである部分と、ＦＤＤである部分と、を含む。
【００４３】
図４Ａ、図４Ｂ、及び図４Ｃの組み合わせを具備している図４は、様々な実施形態に応じて、ピア・ツー・ピアシグナリングのための、広域ネットワークアップリンク通信帯域と広域ネットワークダウンリンク通信帯域の両方を使用するために、ピア・ツー・ピア通信デバイスを動作する、例示的な方法のフローチャート４００である。様々な実施形態では、広域ネットワークは、ＴＤＤ広域ネットワークである。他のそのような実施形態では、アップリンク通信帯域は、ＴＤＤ広域ネットワークのアップリンクタイムスロットを含み、ダウンリンク通信帯域は、ＴＤＤ広域ネットワークのダウンリンクタイムスロットを含む。オペレーションはステップ４０２でスタートし、ピア・ツー・ピア通信デバイスの電源が入れられ、初期化され、ステップ４０４、４０８、及び４１０へ進む。
【００４４】
ステップ４０４で、通信デバイスは、第１のパワー制御機能によって使用されるべき、第１セットのパワー制御情報を保存する。オペレーションは、ステップ４０４からステップ４０６へと進み、通信デバイスは、第２のパワー制御機能によって使用されるべき第２セットのパワー制御情報を保存する。オペレーションは、ステップ４０６からステップ４０４へと進む。
【００４５】
ステップ４０８に戻り、ステップ４０８で、進行中ベース(ongoing basis)で実行され、ピア・ツー・ピア通信デバイスは、自動更新広域ネットワークタイミング構造(recurring wide are network timing structure)に関して現在の時間を決定する。
【００４６】
ステップ４１０に戻り、ステップ４１０で、ピア・ツー・ピア通信デバイスは、広域ネットワークによって使用される時分割多重スケジュールにしたがって、オペレーションのアップリンク共有モードとダウンリンク共有モードとの間の切り換えを制御する。ステップ４１０は、サブステップ４１２、４１４、４１６、及び４１８を含む。サブステップ４１２で、ピア・ツー・ピア通信デバイスは、時分割多重化スケジュール(time division multiplexing schedule)に関して、現在の時間情報の機能として、モードタイプを決定する。その後で、サブステップ４１４で、ピア・ツー・ピア通信デバイスは、決定されたモードタイプによって、異なって進む。モードタイプがオペレーションのアップリンク共有モードであるように決定される場合には、オペレーションは、サブステップ４１４からサブステップ４１６へと進み、ピア・ツー・ピア通信デバイスは、第１セットのパワー制御情報を使用するために切り換えを制御する。しかしながら、モードタイプがオペレーションのダウンリンク共有モードであるように決定される場合には、オペレーションは、サブステップ４１４からサブステップ４１８へと進み、ピア・ツー・ピア通信デバイスは、第２セットのパワー制御情報を使用するために切り換えを制御する。
【００４７】
サブステップ４１６に戻り、オペレーションは、接続ノードＡ  ４２０を介して、サブステップ４１６から、ステップ４２４へと進む。ステップ４２４では、ピア・ツー・ピア通信デバイスは、第１の伝送パワー制御機能をインプリメントする。ステップ４２４は、サブステップ４２６、４２８、４３０、４３２、４３４及び４３６を含む。サブステップ４２６で、ピア・ツー・ピア通信デバイスは、第１の伝送パワー制御機能オペレーションに関して、（ｉ）初期アップリンクタイムスロット、例えばスタートまたはリスタートアップリンクタイムスロット、について、または、（ｉｉ）後続アップリンクタイムスロット(follow-on uplink time)、例えばスタート以降の、または、再初期オペレーション以降の、第２のアップリンクタイムスロット(a second uplink time slot since start or since a re-initialization operation)、について、パワー制御がインプリメントされるかどうかを決定する。パワー制御が初期アップリンクタイムスロットについてであるということが決定される場合には、オペレーションは、サブステップ４２６からサブステップ４２８へと進み、ピア・ツー・ピア通信デバイスは、過去のアップリンクタイムスロットと独立して、伝送パワー制御を決定する。しかしながら、パワー制御が後続アップリンクタイムスロットについてであるということが決定される場合には、オペレーションは、サブステップ４２６からサブステップ４３０へと進む。サブステップ４３０で、ピア・ツー・ピア通信デバイスは、パワー制御機能をインプリメントすることにおいて、例えば第１の機能に関してパワー制御オペレーションの再初期化またはスタート以降の第２のアップリンクタイムスロットのようなこの後続タイムスロットに先行した、直前先行するアップリンクタイムスロットにおいて伝送パワーを制御するために使用された値を使用する。いくつかの実施形態では、直前先行するアップリンクタイムスロットと、後続タイムスロット、例えば第２のアップリンクタイムスロットは、ダウンリンクタイムスロットによって分離される。オペレーションは、サブステップ４２８またはサブステップ４３０から、サブステップ４３２へと進む。
【００４８】
サブステップ４３２では、ピア・ツー・ピア通信デバイスは、ＷＡＮ基地局から受信された信号から、第１の値を生成する。いくつかの実施形態では、第１の伝送パワー制御機能をインプリメントするステップは、オペレーションのアップリンクモードの間に伝送パワーを制御するために、生成された第１の値を使用することを含む。オペレーションは、サブステップ４３２からサブステップ４３４へと進む。サブステップ４３４では、ピア・ツー・ピア通信デバイスは、第１の最大可能伝送パワーレベルを決定する。オペレーションは、サブステップ４３４からサブステップ４３６へと進む。サブステップ４３６で、ピア・ツー・ピア通信デバイスは、第１の伝送パワーレベル、例えばピア・ツー・ピアシグナリングのためのＷＡＮシステムのアップリンクタイムスロットの間に使用されるべき実際の伝送パワーレベルを決定する。いくつかの実施形態では、第１の機能は、アップリンク共有モードの間に使用されるべき伝送パワーレベルを決定するために、第１の最大可能伝送パワーレベル、例えばサブステップ４３４から決定された値を使用する。オペレーションは、サブステップ４２４からサブステップ４３８へと進む。サブステップ４３８では、ピア・ツー・ピア通信デバイスは、広域ネットワークアップリンク通信帯域へと、第１の伝送パワー制御機能にしたがって決定される伝送パワーレベルを使用して、オペレーションのアップリンク共有モードの間に、ピア・ツー・ピア信号を送信する。オペレーションは、オペレーションのアップリンク共有モードとダウンリンク共有モードとの間の切り換えを制御するために、接続ノードＣ４４０を介してステップ４２４からステップ４１０に進む。
【００４９】
サブステップ４１８に戻り、オペレーションは、サブステップ４１８から、接続ノードＢ  ４２２を介して、ステップ４４２へと進む。ステップ４４２では、ピア・ツー・ピア通信デバイスは、第１の伝送パワー制御機能とは異なる第２の伝送パワー制御機能をインプリメントする。ステップ４４２は、サブステップ４４４、４４６、４４８、４５０、４５２及び４５４を含む。サブステップ４４４で、ピア・ツー・ピア通信デバイスは、第１の伝送パワー制御機能オペレーションに関して、（ｉ）初期アップリンクタイムスロット、例えばスタートまたはリスタートアップリンクタイムスロット、について、または、（ｉｉ）後続アップリンクタイムスロット、例えばスタート以降の、または、再初期化オペレーション以降の、第２のアップリンクタイムスロット、について、パワー制御がインプリメントされるかどうかを決定する。パワー制御が初期ダウンリンクタイムスロットについてであることが決定される場合には、オペレーションは、サブステップ４４４からサブステップ４４６へと進み、なお、ピア・ツー・ピア通信デバイスは、過去のダウンリンクタイムスロットとは独立に伝送パワー制御を決定する。しかしながら、パワー制御が後続ダウンリンクタイムスロットについてであるということが決定される場合には、オペレーションは、サブステップ４４４からサブステップ４４８へと進む。サブステップ４４８で、ピア・ツー・ピア通信デバイスは、パワー制御機能をインプリメントすることにおいて、この後続タイムスロット、例えば第２の機能に関してパワー制御オペレーションの再初期化またはスタート以降の第２のダウンリンクタイムスロット、に先行した直前先行するダウンリンクタイムスロットにおいて伝送パワーを制御するために使用された値を使用する。いくつかの実施形態では、直前先行するダウンリンクタイムスロットと後続ダウンリンクタイムスロット、例えば第２のＤＬタイムスロット、はアップリンクタイムスロットによって分離される。オペレーションは、サブステップ４４６あるいはサブステップ４４８から、サブステップ４５０へと進む。
【００５０】
サブステップ４５０では、ピア・ツー・ピア通信デバイスは、ＷＡＮ無線端末から受信された信号から、第２の値を生成する。オペレーションは、サブステップ４５０からサブステップ４５２へと進む。サブステップ４５２では、ピア・ツー・ピア通信デバイスは、第２の最大可能伝送パワーレベルを決定する。オペレーションは、サブステップ４５２からサブステップ４５４へと進む。サブステップ４５４では、ピア・ツー・ピア通信デバイスは、第２の伝送パワーレベル、例えばピア・ツー・ピアシグナリングについてのＷＡＮシステムのダウンリンクタイムスロットの間に使用されるべき実際の伝送パワーレベル、を決定する。いくつかの実施形態では、ダウンリンク共有モードの間に使用されるべき伝送パワーレベルをそれぞれ決定するために、第２の機能は、第２の最大可能伝送パワーレベル、例えばサブステップ４５２からの決定された値、を使用する。オペレーションはステップ４４２からステップ４５６へと進む。ステップ４５６では、ピア・ツー・ピア通信デバイスは、広域ネットワークダウンリンク通信帯域へと、第２の伝送パワー制御機能にしたがって決定される伝送パワーレベルを使用して、ダウンリンク共有モードの間に、ピア・ツー・ピア信号を送信する。オペレーションは、オペレーションのアップリンク共有モードとダウンリンク共有モードとの間の切り換えを制御するために、接続ノードＣ  ４４０を介してステップ４５６からステップ４１０へ進む。
【００５１】
図５Ａ及び図５Ｂの組み合わせを具備する図５は、様々な実施形態にしたがって、ピア・ツー・ピアシグナリングについて、広域ネットワークアップリンク通信帯域と広域ネットワークダウンリンク通信帯域の両方を使用するために、ピア・ツー・ピア通信デバイスを動作する例示的な方法のフローチャート５００である。様々な実施形態では、広域ネットワークは、ＦＤＤ広域ネットワークであり、アップリンク通信帯域はダウンリンク周波数帯域と異なる周波数帯である。オペレーションは、ステップ５０２で開始し、ピア・ツー・ピア通信デバイスの電源が入れられ、そして、接続ノードＡ５３３を介して、ステップ５０４、５０６、５１０、及びステップ５２４へと進む。
【００５２】
ステップ５０４に戻り、進行中ベースで実行されるステップ５０４では、通信デバイスは、オペレーションのアップリンク共有モードとダウンリンク共有モードが同時に生じないように、それらを制御する。ステップ５０６に戻り、ステップ５０６で、通信デバイスは、アップリンク広域ネットワーク帯域へのピア・ツー・ピア伝送に適用可能な伝送パワー制御キャップを決定する。オペレーションは、ステップ５０６からステップ５０８へ進み、通信デバイスは、ダウンリンク広域ネットワーク帯域へのピア・ツー・ピア伝送に適用可能な伝送パワー制御キャップを決定する。オペレーションは、ステップ５０６に戻って、ステップ５０８から進む。
【００５３】
ステップ５１０に戻り、現在進行中ベースで実行されるステップ５１０で、通信デバイスは、ＷＡＮアップリンク周波数帯域とＷＡＮダウンリンク周波数帯域のうちの１つへの送信に適用可能な伝送パワー制御キャップに基づいて、オペレーションのアップリンク共有モードとダウンリンク共有モードの間で切り替える。ステップ５１０は、サブステップ５１２、５１４、５１６、５１８及び５２０を含む。サブステップ５１２では、通信デバイスは、現在モードの伝送パワーキャップが送信必要要件を満たすのに十分であるかを決定する。オペレーションの現在モードのピア・ツー・ピア伝送パワーキャップが送信必要条件を満たすのに十分である場合、オペレーションはステップ５１２からステップ５１８へと進む。しかしながら、現在モードの伝送パワーキャップが現在のピア・ツー・ピア伝送必要条件を満たすのに不十分である場合には、オペレーションは、サブステップ５１２からサブステップ５１４へと進む。サブステップ５１４では、通信デバイスは、より高い伝送パワーキャップを有するアップリンク共有モード及びダウンリンク共有モードのうちの１つを選択する。その後で、サブステップ５１６で、通信デバイスは、サブステップ５１４の選択が、モード変更は実行されるべきであるということを示すかどうかに関してチェックする。モード変更が実行されるべきであるということを選択が示さない場合には、オペレーションは、サブステップ５１６からサブステップ５１８へと進み、通信デバイスは、現在モードのままであるように操作される。しかしながら、モード変更は実行されるべきであるということをサブステップ５１４の選択が示す場合には、オペレーションは、サブステップ５１６からサブステップ５２０へ進み、通信デバイスは新しく選択されたモードに切り替わる。
【００５４】
ステップ５２４に戻り、ステップ５２４で、通信デバイスはインプリメントされたモードの機能として異なるステップへと進む。モードタイプがオペレーションのアップリンク共有モードである場合、オペレーションは、ステップ５２４からステップ５２６へと進むが、モードタイプがオペレーションのダウンリンク共有モードである場合、オペレーションはステップ５２４からステップ５３０へと進む。
【００５５】
ステップ５２６に戻り、ステップ５２６で、ピア・ツー・ピア通信デバイスは、第１の伝送パワー制御機能をインプリメントする。オペレーションは、ステップ５２６からステップ５２８へと進む。ステップ５２８で、ピア・ツー・ピア通信デバイスは、広域ネットワークアップリンク通信帯域へと、第１の伝送パワー制御機能にしたがって決定される伝送パワーレベルを使用して、オペレーションのアップリンク共有モードの間に、ピア・ツー・ピア信号を送信する。
【００５６】
ステップ５３０に戻り、ステップ５３０で、ピア・ツー・ピア通信デバイスは、第１の伝送パワー制御機能と異なる第２の伝送パワー制御機能をインプリメントする。オペレーションは、ステップ５３０からステップ５３２へと進む。ステップ５３２で、ピア・ツー・ピア通信デバイスは、広域ネットワークダウンリンク通信帯域へと、第２の伝送パワー制御機能にしたがって決定される伝送パワーレベルを使用して、オペレーションのダウンリンク共有モードの間にピア・ツー・ピア信号を送信する。オペレーションは、ステップ５２８あるいはステップ５３２からステップ５２４へ進み、フローはモードの機能として決定される。
【００５７】
図６は、例示的なピア・ツー・ピア無線端末が、広域ネットワーク（ＷＡＮ）時分割デュプレクス（ＴＤＤ）システムを備えた帯域幅を共有する、例示的な実施形態における様々な特徴を図示する、図６００である。図６０２は、時間軸６１０に沿ってＷＡＮタイムスロットをプロットする。図示されたシーケンスのタイムスロットは、ＷＡＮ  ＴＤＤダウンリンクスロット６１２、続いてＷＡＮ  ＴＤＤアップリンクスロット６１４、続いてＷＡＮ  ＴＤＤダウンリンクスロット６１６、続いてＷＡＮ  ＴＤＤアップリンクタイムスロット６１８、を含む。ＷＡＮ  ＴＤＤ  ＤＬスロット（６１２，６１６）は、ＷＡＮ  ＤＬ通信帯域の一部であり、ＷＡＮＴＤＤ  ＵＰスロット（６１４，６１８）は、ＷＡＮ  ＵＬ通信帯域の一部である。この例示的な実施形態では、同じセットの周波数、例えば同じセットのＯＦＤＭトーンがＷＡＮアップリンクとＷＡＮダウンリンクに使用されている。
【００５８】
図６０４は、タイム６１０に対して、例示的なピア・ツー・ピア無線端末のピア・ツー・ピア共有モードをプロットする。ＷＡＮ  ＵＬタイムスロット（６１２，６１６）に対応して、ピア・ツー・ピア・デバイスは、スロット（６２２，６２６）に示されているようにＤＬ共有モードにある。ＷＡＮ  ＵＬタイムスロット（６１４，６１８）に対応して、ピア・ツー・ピアデバイスは、スロット（６２４，６２８）に示されているようにＵＬ共有モードにある。
【００５９】
図６０６は、時間６１０にわたって異なる時間スロットの間に、ピア・ツー・ピア信号が干渉する信号を識別する。ＷＡＮ  ＤＬタイムスロット（６１２、６１６）に対応して、ピア・ツー・ピアデバイスは、スロット（６３２、６３６）で示されるように、基地局からのＷＡＮダウンリンク信号のＷＡＮ無線端末リカバリを妨げる(interferes with)。ＷＡＮ  ＵＬタイムスロット（６１４、６１８）に対応して、ピア・ツー・ピアデバイスは、スロット（６３４、６３８）で示されているように、ＷＡＮ無線端末からのＷＡＮアップリンク信号のＷＡＮ基地局リカバリを妨げる。
【００６０】
図６０８は、ピア・ツー・ピア無線端末は、時間６１０にわたって、異なる時間の間に異なるピア・ツー・ピアパワー制御機能を使用するということを図示する。ＷＡＮ  ＤＬタイムスロット（６１２，６１６）に対応して、ピア・ツー・ピア・デバイスの伝送パワーはスロット（６４２，６４６）で示されるように、第２の機能を使用して、制御される。ＷＡＮ  ＵＬタイムスロット（６１４，６１８）に対応して、ピア・ツー・ピア・デバイスの伝送パワーは、スロット（６４４，６４８）で示されるように、第１の機能を使用して、制御される。第２の機能は、第１の機能とは異なる。例えば、第２の機能は、前のＷＡＮ  ＵＬタイムスロットの間にＷＡＮ  ＷＴから受信された、受信アップリンク信号のパワー測定値を１つの入力として使用するが、第１の機能は、前のＷＡＮ  ＤＬタイムスロットの間にＷＡＮ基地局から受信された、受信ダウンリンク信号のパワー測定値を１つの入力として使用する。矢印６５０は、スロット６４６のピア・ツー・ピア伝送パワー制御は、スロット６４２のパワー制御から得られた、保存された値を使用するということを示す。矢印６５２は、スロット６４８のピア・ツー・ピア伝送パワー制御は、スロット６４４のパワー制御から得られた、保存された値を使用するということを示す。
【００６１】
図６０９は、時間６１０に対してピア・ツー・ピア伝送パワーレベルをプロットする。ＷＡＮ  ＤＬタイムスロット６１２に対応して、ピア・ツー・ピアデバイスは、線６５２によって示される最大ピア・ツー・ピア伝送パワーレベルと、線６５４によって示される実際のピア・ツー・ピア伝送パワーレベルと、を決定する。ＷＡＮ  ＵＬタイムスロット６１４に対応して、ピア・ツー・ピアデバイスは、線６５６によって示される最大ピア・ツー・ピア伝送パワーレベルと、線６５８によって示された実際のピア・ツー・ピア伝送パワーレベルと、を決定する。ＷＡＮ  ＤＬタイムスロット６１６に対応して、ピア・ツー・ピアデバイスは、線６６０によって示される最大ピア・ツー・ピア伝送パワーレベルと、線６６２によって示された実際のピア・ツー・ピア伝送パワーレベルと、を決定する。ＷＡＮ  ＵＬタイムスロット６１８に対応して、ピア・ツー・ピアデバイスは、線６６４によって示される最大ピア・ツー・ピア伝送パワーレベルと、線６６６によって示された実際のピア・ツー・ピア伝送パワーレベルと、を決定する。この例において、パワーレベルにおける不連続が境界で観察されているが、ピア・ツー・ピア無線端末が、ＷＡＮ  ＴＤＤダウンリンク及びアップリンクタイムスロットの両方の間にピア・ツー・ピア通信を継続することができる、ということに留意してください。
【００６２】
図７は、例示的なピア・ツー・ピア無線端末が広域ネットワーク（ＷＡＮ）周波数分割デュプレクス（ＴＤＤ）システムを備えた帯域幅を共有する、例示的な実施形態における様々な特徴を図示している図７００である。図７０２は、例示的なＷＡＮダウンリンクＦＤＤ帯域７０６を図示し、例示的なＷＡＮアップリンクＦＤＤ帯域７０８は、周波数軸７０４に沿ってプロットされる。
【００６３】
図７１０は、時間７１８に対して例示的な決定されたピア・ツー・ピア伝送パワーキャップレベルを図示する。実線７２０は、例示的なピア・ツー・ピア・アップリンク帯域キャップを表わし、点線７２２は、例示的なピア・ツー・ピア・ダウンリンク帯域キャップを表わす。
【００６４】
図７１２は、時間７１８に対して線７２４によって示されるような例示的なピア・ツー・ピア伝送必要条件をプロットする。図７１４は、時間７１８に対してピア・ツー・ピア伝送必要条件が満たされているかどうかの表示をプロットする。線７３０がレベル７２６にある場合、必要条件は満たされおり、線７３０がレベル７２８にある場合、必要条件は満たされていない。
【００６５】
図７１６は、時間７１８に対してピア・ツー・ピアワイヤレス通信端末のオペレーションのモードを図示する。線７３６がレベル７３２にある場合には、ピア・ツー・ピア通信デバイスはアップリンク共有モードにあり、線７３６がレベル７３４にある場合には、ピア・ツー・ピア通信デバイスは、ダウンリンク共有モードにある。
【００６６】
時間地点７４０で、ピア・ツー・ピア伝送必要条件はもはや満たされていない。ピア・ツー・ピアワイヤレス通信端末がタイムポイント７４０の前にアップリンク共有モードにあるということ、そして、ＵＬ帯域キャップ７２０は、タイムポイント７４０の前にドロップオフしている(has been dropping off)ということに留意してください。
【００６７】
ピア・ツー・ピア伝送必要条件がもはや満たされていないので、ピア・ツー・ピア通信デバイスは、アップリンク帯域キャップとダウンリンク帯域キャップを比較し、２つのレベルのうちより高いものに対応する方法を使用する。タイムポイント７４２で、ＤＬ帯域キャップ７２２は、アップリンク帯域キャップ７２０を超えるので、ピア・ツー・ピア通信デバイスは、ダウンリンク共有モードに切り替える。
【００６８】
時間ポイント７４２と時間ポイント７４４との間で、ピア・ツー・ピア伝送パワー必要要件７３０は満たされないので、ピア・ツー・ピア無線端末は、ＵＬ及びＤＬの決定されたキャップを比較することを継続する、しかし、ＤＬキャップ７２２は、ＵＬキャップ７２０よりも高いままであり、ピア・ツー・ピアの無線端末は、ダウンリンク共有モード７３４のままでいる。
【００６９】
時間７４４で、ピア・ツー・ピアワイヤレス通信端末の送信必要条件７３０が満たされ、図示された例の持続時間の間、満たし続ける。時間７４６で、ＵＬ帯域キャップ７２０は、ＤＬ帯域キャップ７２２を超えるが、ピア・ツー・ピア伝送必要要件がまだ満たされる場合７２６には、切り換えは生じず、ピア・ツー・ピア無線端末は、ダウンリンク共有モードのままでいる。
【００７０】
ＯＦＤＭシステムの文脈で説明されているが、様々な実施形態の方法及び装置は、多くの非ＯＦＤＭ及び／または非セルラシステムを含んでいる広範囲の通信システムに適用可能である。いくつかの例示的なシステムは、例えばいくつかのＯＦＤＭタイプ信号といくつかのＣＤＭＡタイプ信号のような、ピア・ツー・ピアシグナリングで利用される技術の混合を含む。
【００７１】
様々な実施形態において、ここに説明されたノードは、１つまたは複数の方法に対応するステップ、例えば第１の伝送パワー制御機能をインプリメントすること、第２の伝送パワー制御機能をインプリメントすること、オペレーションのアップリンク共有モードの間にピア・ツー・ピア信号を送信すること、オペレーションのダウンリンク共有モードの間にピア・ツー・ピア信号を送信すること、オペレーションのアップリンク共有モードとダウンリンク共有モードとの間の切り換えを制御すること、送信制御キャップを比較すること等、を実行するために、１つまたは複数のモジュールを使用してインプリメントされる。いくつかの実施形態では、様々な特徴はモジュールを使用してインプリメントされる。そのようなモジュールは、ソフトウェア、ハードウェア、あるいは、ソフトウェアとハードウェアの組み合わせ、を使用してインプリメントされてもよい。上記説明された方法あるいは方法ステップの多くは、例えば１つまたは複数のノードにおいて、上記説明された方法のすべてまたは一部分をインプリメントするために、機械、例えば追加のハードウェアを備えたあるいはなしの汎用コンピュータを制御する、メモリデバイス、例えばＲＡＭ、フロッピー（登録商標）ディスク等、のような機械可読媒体に含まれる、機械実行可能な命令、例えばソフトウェアを使用してインプリメントされることができる。したがって、とりわけ、様々な実施形態は、機械、例えばプロセッサと関連ハードウェアが、上記の方法（単数または複数）のステップのうちの１つまたは複数を実行させるための、機械実行可能な命令を含んでいる機械可読媒体を対象とする。
【００７２】
上述された方法と装置に関する多数のさらなる変形は、上記の説明を見れば、当業者にとって明らかである。そのような変形は、範囲内に考慮されるべきである。様々な実施形態の方法及び装置は、ＣＤＭＡ、直交周波数分割多重化（ＯＦＤＭ）、及び／または、アクセスノードとモバイルノードとの間でワイヤレス通信リンクを提供するために使用されることができる様々な他のタイプの通信技術を用いて使用されてもよく、様々な実施形態では、使用されている。いくつかの実施形態では、アクセスノードは、ＯＦＤＭ及び／またはＣＤＭＡを使用して、モバイルノードで通信リンクを確立する基地局としてインプリメントされる。様々な実施形態では、モバイルノードは、様々な実施形態の方法をインプリメントするための、ノート型コンピュータ、携帯情報端末（ＰＤＡｓ）、あるいは、受信機/送信機の回路及び論理及び／またはルーチンを含んでいる他のポータブルデバイスとしてインプリメントされる。
【図１】
2011520355.tif 000003
【図２】
2011520355.tif 000004
【図３】
2011520355.tif 000005
【図４】
2011520355.tif 000006
【図４Ａ】
2011520355.tif 000007
【図４Ｂ】
2011520355.tif 000008
【図４Ｃ】
2011520355.tif 000009
【図５】
2011520355.tif 000010
【図５Ａ】
2011520355.tif 000011
【図５Ｂ】
2011520355.tif 000012
【図６】
2011520355.tif 000013
【図７】
2011520355.tif 000014
【国際調査報告】
2011520355.tif 000015
2011520355.tif 000016
2011520355.tif 000017